(57)【特許請求の範囲】
【請求項１】
セルラー網（１５）での車両通信をサポートするための方法であって、
このセルラー網（１５）は、所与の量の基地局（２０）と複数の車両（４０）を有し、これらの車両は、その車両（４０）が接続されている該セルラー網（１５）の該基地局（２０）に車両関連メッセージを伝送するためのモバイル機器を備えており、
本方法が、基地局（２０）を介して車両から伝送される車両関連メッセージおよび基地局（２０）自身から送信される基地局制御メッセージを受信メッセージとして受信するテレマティックサーバーにより実施され、
受信メッセージが車両データメッセージであるのか、或いは基地局制御メッセージであるのかを分析し、この基地局制御メッセージが、該基地局制御メッセージを送信する基地局（２０）により収集及び／又は決定された少なくとも一つの所与の網動作パラメータを含む工程と、
受信メッセージが特定の基地局の基地局制御メッセージである場合に、その特定の基地局への選定された車両データメッセージの伝送を制御するために、その特定の基地局の網動作パラメータを更新及び／又は保存する工程と、
受信メッセージが送信側車両（６０）の車両データメッセージである場合に、
車両通信に参加する登録された車両（４０）の提供されたリスト及び／又は保存されたリストから少なくとも一つの送信先車両（７０）を決定して、
その少なくとも一つの送信先車両（７０）が接続されている該受信側基地局（８０）の少なくとも一つの網動作パラメータに基づき、その少なくとも一つの送信先車両（７０）に車両データメッセージを伝送する工程と、
を有する方法。
【請求項２】
該少なくとも一つの網動作パラメータが、該少なくとも一つの網動作パラメータを提供する基地局（２０）のセル内で車両データメッセージを伝送する該車両（４０）に関する最適トランスポートブロックサイズ、ダウンリンクでの推定無線遅延、輻輳ステータス及び該少なくとも一つの網動作パラメータを提供する基地局（２０）のタイムスタンプの中の一つ以上を表す請求項１に記載の方法。
【請求項３】
車両データメッセージと関連する可能性の有る該少なくとも一つの送信先車両（７０）が、該基地局（２０）の提供された地理メッセージ情報及び／又は保存された地理メッセージ情報に基づき決定される請求項１又は２に記載の方法。
【請求項４】
該基地局（２０）の地理メッセージ情報が、該基地局（２０）に接続されている車両（４０）のリスト、該基地局（２０）の位置、該基地局（２０）のカバレージエリア及び接続されている車両（４０）に配信すべき最適パケットサイズの中の一つ以上を含む請求項３に記載の方法。
【請求項５】
該地理メッセージ情報は、その地理メッセージ情報を基地局制御メッセージに含めることによって、基地局（２０）により提供される請求項３又は４に記載の方法。
【請求項６】
該少なくとも一つの送信先車両（７０）への車両データメッセージが所与のインタフェースで提供され、このインタフェースが、登録された車両（４０）毎のバッファを備え、該送信先車両（７０）に関する車両データメッセージが、該送信先車両（７０）のバッファに一時保存される請求項１から５までのいずれか一つに記載の方法。
【請求項７】
特定の送信先車両（７０）に関する集約された車両データメッセージが、その特定の送信先車両（７０）の専用バッファにおけるその特定の送信先車両（７０）の幾つかの車両データメッセージを結合することによって作成される請求項１から６までのいずれか一つに記載の方法。
【請求項８】
該送信先車両（７０）に単一の車両データメッセージを送信するのか、或いは集約された車両データメッセージを送信するのかが所与の時間制限条件に依存する請求項１から７までのいずれか一つに記載の方法。
【請求項９】
該所与の時間制限条件が、車両データメッセージが送信先車両（７０）に到達しなければならない所与の最終期限及び／又は受信側基地局（８０）によって報告される送信先車両（７０）の最適パケットデータサイズを表す請求項８に記載の方法。
【請求項１０】
該車両データメッセージと該送信先車両（７０）の関連性に関する関連度指標が決定されて、該送信先車両（７０）に関する車両データメッセージの伝送及び／又は一時保存が、この関連度指標に依存する請求項１から９までのいずれか一つに記載の方法。
【請求項１１】
該関連度指標が、送信側車両（６０）と該送信先車両（７０）の間の距離を表す請求項１０に記載の方法。
【請求項１２】
セルラー網（１５）での車両通信をサポートするためのテレマティックサーバー（３０）であって、請求項１から１１までのいずれか一つに記載の方法を実施するように構成されたテレマティックサーバー（３０）。
【請求項１３】
セルラー網（１５）での車両通信をサポートするための方法であって、
このセルラー網（１５）が複数の車両（４０）を有し、各車両は、その車両が接続されている基地局（２０）を介して所与のテレマティックサーバー（３０）に車両関連メッセージを伝送するためのモバイル機器を備えており、
本方法が、基地局（２０）により実施され、
受信メッセージが所与の車両データメッセージであるのか否かを調べる工程と、
受信メッセージが車両データメッセージである場合に、
その車両データメッセージを送信した該車両（６０）の所与の送信元識別子と、そのデータメッセージを送信した送信側車両（６０）が登録されているテレマティックサーバー（３０）の所与の送信先識別子とを決定し、
少なくとも一つの網動作パラメータを収集及び／又は決定し、
このテレマティックサーバー（３０）に基地局制御メッセージを所与の時間間隔で送信し、この基地局制御メッセージが、この少なくとも一つの網動作パラメータを含む工程と、
を有する方法。
【請求項１４】
更に、
該基地局（２０）の所与の地理メッセージ情報を決定する工程と、
この地理メッセージ情報を該基地局制御メッセージに含める工程と、
有する請求項１３に記載の方法。
【請求項１５】
セルラー網（１５）での車両通信をサポートするための基地局（２０）であって、
請求項１３又は１４に記載の方法を実施するように構成された基地局（２０）。
【請求項１６】
コンピュータプログラムであって、
このコンピュータプログラムがデータ処理装置上で実行されることによって、請求項１から１１までのいずれか一つに記載の方法又は請求項１３又は１４に記載の方法を実施するように設計されたコンピュータプログラム。
【請求項１７】
実行可能なプログラムコードを有するコンピュータプログラム製品であって、
データ処理装置により読取可能であるとともに、このプログラムコードを保存するための手段を有し、このプログラムコードがデータ処理装置上で実行されることによって、このプログラムコードが請求項１から１１までのいずれか一つに記載の方法又は請求項１３又は１４に記載の方法を実施するコンピュータプログラム製品。
【発明の詳細な説明】
【技術分野】
【０００１】
本発明は、セルラー網での車両通信をサポートするための方法及びテレマティックサーバーに関する。更に、本発明は、セルラー網での車両通信をサポートするための追加的な方法及び基地局に関する。更に、本発明は、セルラー網での車両通信をサポートするためのコンピュータプログラム及びコンピュータプログラム製品に関する。
【背景技術】
【０００２】
高度道路交通システム（ＩＴＳ）は、異なるモードの運輸及び交通管理に関連する革新的なサービスを提供することを目的とする先進的なアプリケーションである。高度道路交通システムによって、車両事故のリスクを低減するための無線通信に基づく道路安全アプリケーションが可能になる。これらの安全アプリケーションは、更に、協調認識（ＣＡ）に関するタイプと道路障害警告（ＲＨＷ）に関するタイプの二つのタイプに分けることができる。ＥＴＳＩ標準（ＥＴＳＩ  ＴＳ  １０２，６３７−２，Ｖ１．２．１及びＥＴＳＩ  ＴＳ  １０２，６３７−３，Ｖ１．１．１）によると、ＣＡアプリケーション用の協調認識メッセージ（ＣＡＭ）とＲＨＷアプリケーション用のイベントトリガー式分散型環境通報メッセージの二つのタイプの能動的交通安全用メッセージ（ＤＥＮＭ）が有る。
【０００３】
ＣＡアプリケーションは、周りの車両とのステータスデータの周期的な交換に基づくものである。その場合、ＣＡＭは、存在、位置及び基本ステータスの情報交換のために使用される。ＣＡＭの受信によって、車両は、その周囲における別の車両の存在、位置、動き、基本属性及び基本センサ情報を知ることができる。
【０００４】
セルラー網でのＣＡアプリケーションをサポートするとの大きな挑戦課題は、多数の交通参加者が、典型的には、１００ｍｓ毎に一回、ＣＡＭを頻繁に伝送することにより引き起こされる輻輳である。それは、市中心部などの密集地域及び／又はピーク時間中において特に重大である。
【０００５】
特許文献１は、セルラーベースの通信システムでの車両通信をサポートするための方法を開示している。コントロールエンティティによってパケット伝送特性に関連する一つ又は複数のパラメータを測定する工程と、それらの測定結果に基づき、最適なパケット伝送速度を決定し、その最適なパケット伝送速度を適用することにより、それらの車両とコントロールエンティティがパケットを伝送する工程とを反復して行なうパケット伝送速度調整手順が実施されている。
【先行技術文献】
【特許文献】
【０００６】
【特許文献１】国際特許公開第２０１４／１１７８１０号明細書
【発明の概要】
【発明が解決しようとする課題】
【０００７】
本発明の課題は、車両データメッセージの提供品質の改善に寄与する、セルラー網での車両通信をサポートするための方法及びそれに対応するテレマティックサーバー、並びにセルラー網での車両通信をサポートするための追加的な方法及び基地局を提供することである。
【課題を解決するための手段】
【０００８】
本課題は、独立請求項の特徴によって達成される。本発明の有利な実施形態は、従属請求項に示されている。
【０００９】
第一及び第二の観点では、本発明は、セルラー網での車両通信をサポートするための方法及びそれに対応するテレマティックサーバーによって特徴付けられる。このセルラー網は、所与の量の基地局と複数の車両を有する。各車両は、その車両が接続されているセルラー網の該基地局に車両関連メッセージを伝送するためのモバイル機器を備えている。受信メッセージが車両データメッセージであるのか、或いは基地局制御メッセージであるのかが分析され、基地局制御メッセージは、該基地局制御メッセージを提供する基地局により収集及び／又は決定された少なくとも一つの所与の網動作パラメータを含む。受信メッセージが特定の基地局の基地局制御メッセージである場合、その特定の基地局の少なくとも一つの網動作パラメータが、その特定の基地局への選定された車両データメッセージの伝送を制御するために更新及び／又は保存される。受信メッセージが送信側車両の車両データメッセージである場合、車両通信に参加する登録された車両の提供されたリスト及び／又は保存されたリストから少なくとも一つの送信先車両が決定されて、その少なくとも一つの送信先車両が接続されている該受信側基地局の前記少なくとも一つの動作パラメータに基づき、その少なくとも一つの送信先車両に車両データメッセージが伝送される。
【００１０】
このことの特別な利点は、基地局が前記の少なくとも一つの網動作パラメータの非常に精緻な測定、収集、決定及び評価の中の一つ以上を実施するように構成されているので、特に、テレマティックサーバーによる、車両データメッセージの非常に精緻な集約、伝送速度の適合及び送信先車両に関する車両データメッセージの一時保存制御の中の一つ以上が可能になることである。通常複数の送信先車両が各基地局に接続されているので、テレマティックサーバーに送信しなければならない追加的なデータトラフィックを最小化することができる。車両が追加的なデータ負荷状況、特に、基地局のセル容量を送信する必要は無い。最適なパケット伝送速度だけを決定する手順と比べて、セルラー網の効率を向上することができる。基地局は、車両とテレマティックサーバーの端末相互間の測定を用いては精確に導き出すことができない、各セルでの無線リソース利用率又は無線レベルでの最適なトランスポートブロックサイズなどの追加的な情報を提供することができる。更に、セルラー網、特に、基地局により実施されるセルラー網性能に関する測定及び／又は決定は、古い、或いは信頼できない情報を含む可能性が有る、車両及びテレマティックサーバーにより提供される測定よりも新しいものであるとすることができる。
【００１１】
有利には、セルラー通信網は広がっており、大規模に設置された基地が既に存在する。特に、ロング・ターム・エボリューション（ＬＴＥ）は、例えば、ＩＥＥＥ８０２．１１ｐ標準に基づくＩＴＳと比べて、スループット、レイテンシー及び特に、サービス品質に関して良好な品質レベルのために、車両環境での通信をサポートするのに適したアクセス技術である。
【００１２】
このテレマティックサーバーはＩＴＳサーバーから構成することができる。このＩＴＳサーバーは、車両及び交通インフラストラクチャから車両データメッセージを受信し、その情報を処理して、その情報を車両及び交通インフラストラクチャに再配布する。
【００１３】
この車両データメッセージは協調認識メッセージから構成することができる。
【００１４】
車両が基地局と接続されていることは、その車両がその基地局と通信するように構成されたモバイル機器を備えており、その車両がその基地局のカバレージエリア内に位置することを意味する。
【００１５】
第一及び第二の観点の一つの実施形態では、この少なくとも一つの網動作パラメータは、その少なくとも一つの網動作パラメータを提供する基地局のセル内において車両データメッセージを伝送する該車両のための最適トランスポートブロックサイズ、ダウンリンクでの推定無線遅延、輻輳ステータス、及びその少なくとも一つの網動作パラメータを提供する基地局のタイムスタンプの中の一つ以上を表す。
【００１６】
この情報に基づき、テレマティックサーバーは、送信先車両毎に配信処理を最適化することができる。好ましくは、基地局は、テレマティックサーバーに基地局制御メッセージを周期的に送信する。これらの制御メッセージは、セル内において車両データメッセージを伝送する全ての車両に関して、車両毎の無線アクセスチャネル品質に基づく最適トランスポートロックサイズを含むことができる。更に、基地局は、ダウンリンクにおける推定無線アクセス遅延、即ち、一つのパケットが基地局で受信されてから送信先車両に配信されるまでの経過時間と、リソース消費に関して測定された輻輳ステータスとに関する情報をテレマティックサーバーに伝えることができる。基地局制御メッセージは、テレマティックサーバーがそのテレマティックサーバーから基地局までのＩＰ網遅延をも測定できた時間であるタイムスタンプを含むことができる。これらのＩＰ網遅延と無線アクセス遅延の合計は、テレマティックサーバーから送信先車両にデータパケットを伝送するのにかかる推定時間（合計遅延）を与える。これは、一般的に異なる運用者に属する異なる車両からのアップリンク遅延及びレイテンシー配分が未知であり、そのためパケットが同期した形態でバックエンドサーバーに到達しないので、非常に有利である。
【００１７】
第一及び第二の観点の別の実施形態では、この車両データメッセージに関連する可能性の有る少なくとも一つの送信先車両は、該基地局の提供された地理メッセージ情報及び／又は保存された地理メッセージ情報に基づき決定される。この特別な利点は、セルラー網を介した伝送に関する車両データメッセージのより精緻なフィルタリングが可能になることである。この地理メッセージ情報によって、少なくとも近似的に、可能性の有る送信先車両の地理的位置を決定することが可能である。
【００１８】
第一及び第二の観点の別の実施形態では、該基地局の地理メッセージ情報は、該基地局に接続されている車両のリスト、該基地局の位置、該基地局のカバレージエリア及び接続されている車両に配信すべき最適パケットサイズの中の一つ以上を含む。これは、同じ基地局によりサービスを提供されている車両とその近傍へのグループ分けのおかげで、フィルタリングを容易に適応することができるので、テレマティックサーバーの計算負荷を軽減することを可能とする。従って、或る地理的判断基準を満たすノード群に該車両データメッセージを簡単な手法で伝送することが可能となる。各基地局と接続されている車両のリスト、各基地局の位置及びカバレージエリアなどの地理メッセージ情報のために、対象となる可能性の有る車両のリストが低減され、それにより、この分析が管理可能となる。
【００１９】
第一及び第二の観点の別の実施形態では、地理メッセージ情報は、該地理メッセージ情報を基地局制御メッセージに含めることによって、基地局により提供される。このようにして、地理メッセージ情報を容易に最新に保つことができる。例えば、基地局制御メッセージは、定期的に送信されて、該基地局の地理メッセージ情報が更新及び／又は保存される。接続されている車両は、対象となる地理的エリアの分割及び位置更新のために、セル位置及びセルカバレージエリアなどのセルラー網が知っている別の重要な位置情報を伝送する必要は無い。
【００２０】
第一及び第二の観点の別の実施形態では、この少なくとも一つの送信先車両に関する車両データメッセージは、所定のインタフェースにおいて提供される。このインタフェースは、登録された車両毎にバッファを有する。該送信先車両に関する車両データメッセージは、該送信先車両のバッファに一時保存される。これは、車両データメッセージの非常に柔軟な一時保存及び集約と送信先車両の伝送速度の適合の中の一つ以上を可能とする。例えば、このバッファは、先入れ先出しバッファから構成される。
【００２１】
第一及び第二の観点の別の実施形態では、特定の送信先車両に関する集約された車両データメッセージは、その特定の送信先車両の専用バッファ内におけるその特定の送信先車両の幾つかの車両データメッセージを連結することによって作成される。このことは、例えば、集約により、伝送しなければならないプロトコルのオーバーヘッドが少なくなるので、セルラー網の効率を向上する。異なる車両データメッセージの集約は、トランスポートブロックのより効率的な使用を可能とする。例えば、最適なパケット伝送速度だけを決定する手順と比べて、セルラー網の効率を向上することができる。この集約は、無線レベルでの最適トランスポートブロックサイズ又はレイテンシー要件などの多重パラメータに基づく最終パケットサイズを最適化するために使用することができる。
【００２２】
第一及び第二の観点の別の実施形態では、送信先車両に単一の車両データメッセージを送信するのか、或いは集約された車両データメッセージを送信するのかは所与の時間制限条件に依存する。このことは、集約が周期的に行なわれる場合と比べて、セルラー網の効率を向上する。このことは、ＩＴＳアプリケーションのサービス品質（ＱｏＳ）要件を維持しつつ、車両データメッセージの伝送に必要なネットワークリソース数が低減されると言い換えることができる。この基地局の協働形態は、フィルタリングと集約プロセスをダイナミックかつユーザー個別に実施して、無線の観点から送信先車両の特定の状態を正確に知ることを可能とする。特に、無線アクセスチャネル品質が輻輳を左右し得る。
【００２３】
第一及び第二の観点の別の実施形態では、所与の時間制限条件は、車両データメッセージが送信先車両に到達しなければならない所与の最終期限及び／又は受信側基地局により報告される送信先車両の最適パケットデータサイズを表す。この情報に基づき、テレマティックサーバーは、送信先車両毎に配信処理を最適化することができる。
【００２４】
第一及び第二の観点の別の実施形態では、該車両データメッセージと該送信先車両の関連性に関する関連度指標が決定されて、該送信先車両に関する車両データメッセージの伝送及び／又は一時保存が、この関連度指標に依存する。このようにして、テレマティックサーバーは、例えば、無線アクセス網での輻輳イベント時に、伝送する情報量の制限と網負荷の軽減のために、各車両向けの最も関連する車両データメッセージの洗練された選定を実施することができる。パケット脱落確率がそれらの関連度に依存するので、例えば、最適パケット伝送速度だけを決定する手順と比べて、セルラー網の効率を向上することができる。
【００２５】
第一及び第二の観点の別の実施形態では、この関連度指標は、送信側車両と該送信先車両の間の距離を表す。このことは、関連度指標を容易に決定することを可能にする。
【００２６】
第三及び第四の観点では、本発明は、セルラー網での車両通信をサポートするための方法及びそれに対応する基地局により特徴付けられる。このセルラー網は、複数の車両を有する。各車両は、その車両が接続されている基地局を介して所与のテレマティックサーバーに車両関連メッセージを伝送するためのモバイル機器を備えている。受信メッセージが所与の車両データメッセージであるのか否かが調べられる。受信メッセージが車両データメッセージである場合、車両データメッセージを送信した該車両の所与の送信元識別子と、データメッセージを送信した送信側車両が登録されているテレマティックサーバーの所与の送信先識別子とが決定される。更に、少なくとも一つの網動作パラメータが収集及び／又は決定されて、所与の時間間隔で、基地局制御メッセージがテレマティックサーバーに送信され、この基地局制御メッセージは、この少なくとも一つの網動作パラメータを含む。
【００２７】
この基地局の協働形態は、車両データメッセージのフィルタリング及び集約プロセスをダイナミックかつユーザー個別に実施して、無線の観点から送信先車両の特定の状態を正確に知ることを可能とする。
【００２８】
これらの送信元識別子及び送信先識別子は、インターネットプロトコル（ＩＰ）アドレスとすることができる。好ましくは、テレマティックサービスは、所要のサービス品質特性を有する特定の無線アクセス運営者内を運ばれ、その結果、基地局は、車両データメッセージの送信元及び送信先のＩＰアドレスを識別することができ、そのため、サービスを提供するテレマティックサーバーと車両毎の有効な識別子を知ることができる。この情報を用いて、基地局は、網動作パラメータ及び／又は地理メッセージ情報と関連するデータをテレマティックサーバーに伝えることができる。
【００２９】
この少なくとも一つの網動作パラメータは、基地局のセル内における車両データメッセージを伝送する該車両のための最適トランスポートブロックサイズ、ダウンリンクでの推定無線遅延、輻輳ステータス及び基地局のタイムスタンプの中の一つ以上を表すことができる。
【００３０】
第三及び第四の観点の一つの実施形態では、基地局は、その基地局の地理メッセージ情報を決定して、その地理メッセージ情報を基地局制御メッセージに含める。この地理メッセージ情報は、基地局に接続されている車両のリスト、基地局の位置、基地局のカバレージエリア及び接続されている車両に配信すべき最適パケットサイズの中の一つ以上を含むことができる。
【００３１】
第一及び第二の観点の有利な実施形態は、第三及び第四の観点にも有効である。
【００３２】
別の観点では、本発明は、コンピュータプログラムによって特徴付けられ、このコンピュータプログラムは、このコンピュータプログラムをデータ処理装置で実行することによって、第一又は第三の観点によるセルラー網での車両通信をサポートするための方法又はそれらの方法の有利な実施形態を実施するように設計されている。
【００３３】
別の観点では、本発明は、実行可能なプログラムコードを有するコンピュータプログラム製品によって特徴付けられ、このプログラムコードは、このプログラムコードをデータ処理装置で実行することによって、第一又は第三の観点によるセルラー網での車両通信をサポートするための方法又はそれらの方法の有利な実施形態を実施するように設計されている。
【００３４】
このコンピュータプログラム製品は、特に、データ処理装置により読取可能であるとともに、このプログラムコードを保存するための手段を有する。
【００３５】
以下において、添付した模式図と関連して、本発明の実施例を説明する。
【図面の簡単な説明】
【００３６】
【図１】セルラー網での車両通信のアプリケーションシナリオを示す模式的なブロック図
【図２】第一のプログラムのフロー図
【図３】第二のプログラムのフロー図
【発明を実施するための形態】
【００３７】
図１は、セルラー網１５での車両通信のアプリケーションシナリオを示す模式的なブロック図を図示している。
【００３８】
図１は、テレマティックサーバー３０、特に、ＩＴＳ（高度道路交通システム）サーバーとセルラー網１５を備えた通信システム１０を図示している。
【００３９】
このセルラー網１５は、ここでの実施形態と関連し、ＬＴＥ（ロング・ターム・エボリューション）タイプの移動体セルラー通信網に相当するが、それに限定されない。実際に、本発明をそれ以外の移動体セルラー通信網、例えば、ＵＭＴＳ網に適用することが可能である。
【００４０】
このセルラー網１５は、所与の量の基地局２０と複数の車両４０を有し、各車両はモバイル機器を備え、この機器は、そのモバイル機器が接続されている該基地局２０にメッセージを伝送するための機器である。
【００４１】
更に、セルラー網１５はコア網５０を有する。基地局２０は、そのコア網５０と繋がっている。例えば、コア網５０は、モビリティ管理エンティティ（ＭＭＥ）５４、サービス提供ゲートウェイ（ＳＧＷ）５６及びＰＤＮゲートウェイ（Ｐ−ＧＷ）５８を備えている。データ伝送のために、基地局２０はサービス提供ゲートウェイ５６と繋がっている。
【００４２】
図１には、信号パスを表す破線が表示されている。
【００４３】
該基地局２０は、基地局制御メッセージを提供するとともに、例えば、サービス提供ゲートウェイ５６及びＰＤＮゲートウェイ５８を介して、テレマティックサーバー３０に基地局制御メッセージを送信するように構成されている。
【００４４】
セルラー網１５での車両通信をサポートするために、基地局２０は、受信メッセージが、接続されている車両４０からの所与の車両データメッセージであるのか否かを調べるように構成されている。受信メッセージが車両データメッセージである場合、基地局２０は、その車両データメッセージを送信する該送信側車両６０の所与の送信元識別子と、そのデータメッセージを送信する送信側車両６０が登録されているテレマティックサーバー３０の所与の送信先識別子とを決定する。基地局２０は、更に、少なくとも一つの網動作パラメータを収集及び／又は決定して、所与の時間間隔で基地局制御メッセージをテレマティックサーバー３０に送信するように構成されており、この基地局制御メッセージは、この少なくとも一つの網動作パラメータを含む。
【００４５】
好ましくは、基地局２０は、基地局制御メッセージをテレマティックサーバー３０に周期的に送信する。
【００４６】
任意選定として、基地局２０は、基地局２０の所与の地理メッセージ情報を決定して、特に、その地理メッセージ情報を基地局制御メッセージに含めることによって、その地理メッセージ情報をテレマティックサーバー３０に送信するように構成されている。
【００４７】
この地理メッセージ情報は、基地局２０に接続されている車両４０のリスト、基地局２０の位置、基地局２０のカバレージエリア及び接続されている車両４０に配信すべき最適パケットサイズの中の一つ以上を含むことができる。
【００４８】
テレマティックサーバー３０は、例えば、インターネット上に配置されており、そのことは、インターネット接続を介してテレマティックサーバー３０に到達できることを意味する。それに代わって、テレマティックサーバー３０は、コア網５０又はアクセス網に配置することができる。
【００４９】
テレマティックサーバー３０への特定の車両の割り当ては、例えば、その特定の車両のその時々の地理的位置に依存することができる。テレマティックサーバー３０は、例えば、車両通信に参加する登録された車両４０のリストを有する。例えば、テレマティックサーバー３０は、大都市で車両４０の車両データメッセージを扱うように構成されている。車両４０は、車両通信に参加する各車両４０へのフィルタリングされた関連情報を配信する同じテレマティックサーバー３０のサービスに加入している。
【００５０】
このテレマティックサーバー３０は、例えば、関与する車両４０の地理的定位に依存して車両データメッセージをフィルタリングするように構成されている。
【００５１】
好ましくは、テレマティックサーバー３０は地理メッセージ機能を使用するように構成される。
【００５２】
この地理メッセージ機能は、ＥＴＳＩ仕様（ＥＴＳＩ  ＴＲ  １０２９６２、Ｖ１．１．１）に準拠して、所与の地理的エリア内の送信先車両７０にのみＣＡＭを配信することを可能にする。一つの可能な実施形態では、関連する地理的エリアは、一定数のより小さいエリアによりカバーされる。新しいエリアに入った車両４０は、その新しいエリアに越えて入って、サーバーが、新しい地理的エリアの座標に関する情報を車両に伝えてきた場合に自車を登録する。このようにして、テレマティックサーバー３０は、如何なる時点でも、如何なる車両４０がそのＩＰアドレスと共に各エリア内に有るのかを知っている。このエリアサイズは、アプリケーション毎に変えることができ、そのため、信号伝送のオーバーヘッド量に影響を与える。この手順に従うことによって、テレマティックサーバー３０は、ユニキャストリンクを用いてダウンリンクでＣＡＭを送信する場合に、エリア間を区別することができる。
【００５３】
テレマティックサーバー３０は、例えば、公衆ＩＰアドレスを有し、全てのモバイル網運用者に対して到達可能である。レイテンシーを低減するために、各テレマティックサーバー３０は、モバイル網のゲートウェイまでの経路ホップ群を制限する形で領域毎に設けることができる。
【００５４】
テレマティックサーバー３０は、異なる基地局２０から車両データメッセージと基地局制御メッセージを受信する。
【００５５】
テレマティックサーバー３０は、受信メッセージが車両データメッセージであるのか、或いは基地局制御メッセージであるのかを分析するように構成されている。
【００５６】
この情報に基づき、テレマティックサーバー３０は、送信元車両７０毎に配信処理を最適化するように構成されている。
【００５７】
任意選定として、テレマティックサーバー３０は、車両データメッセージを該送信先車両７０に伝送するための所与のインタフェースを備えている。このインタフェースは、例えば、登録された車両４０毎にバッファを有する。該送信先車両７０に関する車両データメッセージは、該送信先車両７０のバッファに一時保存される。
【００５８】
図２は、セルラー網１５での車両通信をサポートするための第一のプログラムのフロー図を図示している。この第一のプログラムは、例えば、テレマティックサーバー３０で実行することができる。
【００５９】
第一のプログラムは、変数を初期化することができる工程Ｓ１から始まる。
【００６０】
工程Ｓ３で、受信メッセージが車両データメッセージであるのか、或いは基地局制御メッセージであるのかが分析される。
【００６１】
受信メッセージが特定の基地局の基地局制御メッセージである場合、工程Ｓ５で、その特定の基地局の少なくとも一つの網動作パラメータが更新及び／又は保存される。この少なくとも一つの網動作パラメータは、その特定の基地局への選定された車両データメッセージの伝送を制御するために使用される。
【００６２】
受信メッセージが送信側車両６０の車両データメッセージである場合、任意選定として、工程Ｓ７で、その送信側車両６０及び／又はその関連する基地局２０の位置、速度及び方向の中の一つ以上が更新される。
【００６３】
受信メッセージが車両データメッセージである場合、（Ｓ１３からのループと関連する）工程Ｓ９で、車両通信に参加する登録された車両の提供されたリスト及び／又は保存されたリストから少なくとも一つの送信先車両７０が決定されて、工程Ｓ１１で、その少なくとも一つの送信先車両７０が接続されている該受信側基地局８０の少なくとも一つの網動作パラメータに基づき、車両データメッセージが、その少なくとも一つの送信先車両７０に伝送される。
【００６４】
例えば、この車両データメッセージと関連する可能性の有る少なくとも一つの送信先車両７０は、該基地局２０の提供された地理メッセージ情報及び／又は保存された地理メッセージ情報に基づき決定される。
【００６５】
該基地局２０の地理メッセージ情報は、該基地局２０と接続されている車両４０のリスト、該基地局２０の位置、該基地局２０のカバレージエリア及び接続されている車両４０に配信すべき最適パケットサイズの中の一つ以上を含む。
【００６６】
好ましくは、車両データメッセージは、それらが該送信先基地局２０に送信される前に一時保存される。
【００６７】
例えば、送信先車両７０毎に集約された車両データメッセージは、専用のバッファにおける該送信先車両７０の幾つかの車両データメッセージを連結することによって作成される。
【００６８】
任意選定として、該車両データメッセージと該送信先車両７０の関連性に関する関連度指標を工程１０で決定することができる。車両データメッセージの関連度は、例えば、二つの車両６０，７０の間の距離に依存する。この関連度指標は、例えば、送信側車両６０と該送信先車両７０の間の距離を表し、それらが近い程、その車両データメッセージはより深く関連する。工程Ｓ１１で、車両データメッセージは関連度指標と共に保存される。
【００６９】
図３は、第二のプログラムのフロー図を図示している。この第二のプログラムは、第一のプログラムの工程Ｓ１１の伝送手順を模範的に実現する、第一のプログラムのサブプログラムとして使用することができる。
【００７０】
この第二のプログラムは、変数を初期化することができる工程Ｓ１１＿１から始まる。
【００７１】
（Ｓ１１＿１１へのループと関連する）工程Ｓ１１＿３で、車両データメッセージを特定の車両に伝送しなければならないのかを分析する。任意選定として、車両データメッセージを特定の車両に伝送しなければならないのかを分析するために、関連度指標を使用することができる。
【００７２】
車両データメッセージが該送信先車両７０と関連しており、送信されるべきである場合、工程Ｓ１１＿７で、最も緊急な車両データメッセージが、該受信側基地局８０の輻輳ステータスに関して選定される。
【００７３】
従って、送信先車両７０に単一の車両データメッセージを送信するのか、或いは集約された車両データメッセージを送信するのかは、所与の時間制限条件に依存することができる。この所与の時間制限条件は、車両データメッセージが送信先車両７０に到達しなければならない所与の最終期限及び／又は受信側基地局８０により報告された送信先車両７０の最適パケットデータサイズを表すことができる。
【００７４】
それに追加して、或いはそれに代わって、該送信先車両７０に関する車両データメッセージの伝送及び／又は一時保存は、関連度指標に基づき選定される。
【００７５】
この文脈において、車両データメッセージの伝送後に、工程Ｓ１１＿９で、送信先車両７０のバッファがリセットされる。
【００７６】
好ましくは、このプロセスは、テレマティックサーバー３０に登録された車両４０毎に周期的に実行される。これは、バッファ内の幾つかの車両データメッセージを連結することにより作成される集約された車両データメッセージを送信先車両７０に配信しなければならないのか、或いはその伝送を次の決定工程にまで遅らせることができるのかを決定する責任が有る。この決定を下すために、テレマティックサーバー３０は、パケットバッファ内の最も古い車両データメッセージのタイムスタンプと、パケットが送信先に到達するのに必要な合計遅延とを考慮することができる。基地局２０により報告される送信先車両７０の最適パケットデータユニットサイズを考慮することもできる。この最適サイズが到着するか、或いは遅延配分分析が、陳腐化させないためには情報をもう配信しなければならないことを示す場合、バッファに保存された関連する車両データメッセージが連結されて、その結果得られたメッセージがダウンリンクで伝送される。
【００７７】
無線アクセス網が輻輳している場合、テレマティックサーバー３０は、伝送される情報量を制限するとともに、網負荷を軽減するために、各送信先車両７０への最も関連する車両データメッセージの洗練された選定を行なうことができる。
【符号の説明】
【００７８】
１０    通信システム
１５    セルラー網
２０    基地局
３０    テレマティックサーバー
４０    車両
５０    コア網
５４    モビリティ管理エンティティ
５６    サービス提供ゲートウェイ
５８    ＰＤＮゲートウェイ
６０    送信側車両
７０    送信先車両
８０    受信側基地局
Ｓ１〜Ｓ１５    処理工程
【図１】
0006513717.tif 000002
【図２】
0006513717.tif 000003
【図３】
0006513717.tif 000004